(57)【要約】【課題】モータの品質を害することなく、接着剤を用いることなく、ステータと軸受ハウジングとを固定する。【解決手段】ステータ取り付け構造１は、軸受ハウジング１０と、ステータコア２１と、軸受ハウジング１０とステータコア２１とを固定可能にする係合部３ａとを備えている。係合部３ａは、軸受ハウジング１０とステータコア２１の一方に設けられた窪み部６２と、軸受ハウジング１０とステータコア２１の他方に設けられた窪み部６２に収容可能な突起部７２とを備えている。窪み部６２は、軸線ｘ方向における一方の端部から他方に向かって延びており、突起部７２を案内可能に形成されている。突起部７２は、ステータコア２１と軸受ハウジング１０との軸線ｘ方向における重なりが増えるに連れて、窪み部６２を軸線ｘ方向における他方に進むように設けられている。【選択図】図１０
2020162288.tif 000002
【特許請求の範囲】
【請求項１】
軸線に沿って延びる筒状の部分である、軸受を支持する軸受ハウジングと、
前記軸受ハウジングに取り付けられるステータコアと、
前記軸受ハウジングと前記ステータコアとを互いに固定可能にする係合部と、を備え、
前記ステータコアは、前記軸受ハウジングを収容可能に形成された、前記軸線に沿って延びる筒面状の面である内周面を有しており、
前記係合部は、前記軸受ハウジングと前記ステータコアの前記内周面の一方に設けられた窪みを形成する少なくとも１つの窪み部と、前記軸受ハウジングと前記ステータコアの前記内周面の他方に設けられた前記窪み部に収容可能に突出する少なくとも１つの突起部とを備え、
前記窪み部は、前記軸受ハウジングと前記ステータコアの前記内周面の一方において、前記軸線方向における一方の端部から前記軸線方向における他方に向かって延びており、前記突起部を案内可能に形成されており、
前記突起部は、前記ステータコアの前記内周面と前記軸受ハウジングとの前記軸線方向における重なりが増えるに連れて、前記窪み部を前記軸線方向における他方に進むように設けられていることを特徴とするステータの取り付け構造。
【請求項２】
前記窪み部は、端部に、前記突起部を固定可能に形成された固定部を有することを特徴とする請求項１記載のステータの取り付け構造。
【請求項３】
前記固定部の少なくとも一部において、前記窪み部の案内方向に対する幅が、前記突起部の幅よりも小さくなっていることを特徴とする請求項２記載のステータの取り付け構造。
【請求項４】
前記固定部は、前記軸線に沿う方向又は前記軸線周りの回転方向に延びていることを特徴とする請求項２又は３記載のステータの取り付け構造。
【請求項５】
前記窪み部は、案内方向が変わる複数の直線状の部分を有していることを特徴とする請求項１乃至４のいずれか１項記載のステータの取り付け構造。
【請求項６】
前記窪み部は、螺旋状に延びていることを特徴とする請求項１乃至４のいずれか１項記載のステータの取り付け構造。
【請求項７】
前記軸受ハウジングが前記内周面の中に収容された状態において、前記ステータコアと前記軸受ハウジングとを固定可能にする固定機構を更に備えており、
該固定機構は、前記ステータコアの一端に前記軸線方向において接触可能に形成された開放端を有する環状の部材と、前記軸受ハウジングにおいて前記環状の部材を収容可能に形成された溝とを有し、
前記溝は、前記軸受ハウジングが前記内周面の中に収容された状態において、前記環状の部材が前記ステータコアの一端に前記軸線方向において接触するように、前記環状の部材を収容可能に形成されていることを特徴とする請求項１乃至６のいずれか１項記載のステータの取り付け構造。
【請求項８】
前記軸受ハウジングが前記内周面の中に収容された状態において、前記ステータコアと前記軸受ハウジングとを固定可能にする固定機構を更に備えており、
該固定機構は、前記ステータコア及び前記軸受ハウジングに形成された前記軸線に沿って延びる孔である収容孔と、前記収容孔に挿入可能に形成された部材である挿入部材とを有しており、
前記収容孔は、前記ステータコアを貫通しており、前記挿入部材は、前記ステータコア及び前記軸受ハウジングにおいて前記収容孔に収容可能になっていることを特徴とする請求項１乃至６のいずれか１項記載のステータの取り付け構造。
【請求項９】
請求項１乃至８のいずれか１項記載のステータの取り付け構造を有することを特徴とするモータ。
【発明の詳細な説明】
【技術分野】
【０００１】
本発明は、ステータの取り付け構造及びモータに関し、特に、モータのステータコアと軸受ハウジングとの間の取り付け構造に関する。
【背景技術】
【０００２】
アウターロータ型のモータにおいて、ステータは、回転軸を支持する軸受を保持する軸受ハウジングに取り付けられて固定されている。ステータは、その内周側の孔に軸受ハウジングが挿入されて、軸受ハウジングに取り付けられている。ステータと軸受ハウジングとの間の固定は、従来、接着剤による方法が知られている（例えば、特許文献１参照）。
【先行技術文献】
【特許文献】
【０００３】
【特許文献１】特開２０１７−１０１６０３号公報
【発明の概要】
【発明が解決しようとする課題】
【０００４】
一方、近年、環境への懸念や製造工程の管理が複雑となることから、製造現場では化学物質の使用量の削減が求められている。このため、モータにおいても、接着剤を使用せずにステータと軸受ハウジングとを固定するステータの取り付け構造が求められている。接着剤を用いないステータの取り付け構造として、従来から、軸受ハウジングをステータコアの孔に圧入して固定する構造がある。しかしながら、ステータコアは電磁鋼板が積層されて形成されているため、圧入によってステータコアと軸受ハウジングとを固定する場合、この圧入により電磁鋼板が変形したり、ステータコアの特性に損傷が与えられたりすることが考えられる。このように、従来の接着剤を用いないステータの取り付け構造は、ステータの品質を害する恐れがあった。このため、モータの品質を害することなく、かつ、接着剤を用いないステータの取り付け構造が求められている。
【０００５】
本発明は、上述の課題に鑑みてなされたものであり、その目的は、モータの品質を害することなく、かつ、接着剤を用いないステータの取り付け構造及びモータを提供することを目的とする。
【課題を解決するための手段】
【０００６】
上記目的を達成するために、本発明に係るステータの取り付け構造は、軸線に沿って延びる筒状の部分である、軸受を支持する軸受ハウジングと、前記軸受ハウジングに取り付けられるステータコアと、前記軸受ハウジングと前記ステータコアとを互いに固定可能にする係合部と、を備え、前記ステータコアは、前記軸受ハウジングを収容可能に形成された、前記軸線に沿って延びる筒面状の面である内周面を有しており、前記係合部は、前記軸受ハウジングと前記ステータコアの前記内周面の一方に設けられた窪みを形成する少なくとも１つの窪み部と、前記軸受ハウジングと前記ステータコアの前記内周面の他方に設けられた前記窪み部に収容可能に突出する少なくとも１つの突起部とを備え、前記窪み部は、前記軸受ハウジングと前記ステータコアの前記内周面の一方において、前記軸線方向における一方の端部から前記軸線方向における他方に向かって延びており、前記突起部を案内可能に形成されており、前記突起部は、前記ステータコアの前記内周面と前記軸受ハウジングとの前記軸線方向における重なりが増えるに連れて、前記窪み部を前記軸線方向における他方に進むように設けられている。
本発明の一態様に係るステータの取り付け構造において、前記窪み部は、端部に、前記突起部を固定可能に形成された固定部を有する。
【０００７】
本発明の一態様に係るステータの取り付け構造においては、前記固定部の少なくとも一部において、前記窪み部の案内方向に対する幅が、前記突起部の幅よりも小さくなっている。
【０００８】
本発明の一態様に係るステータの取り付け構造において、前記固定部は、前記軸線に沿う方向又は前記軸線周りの回転方向に延びている。
【０００９】
本発明の一態様に係るステータの取り付け構造において、前記窪み部は、案内方向が変わる複数の直線状の部分を有している。
【００１０】
本発明の一態様に係るステータの取り付け構造において、前記窪み部は、螺旋状に延びている。
【００１１】
本発明の一態様に係るステータの取り付け構造は、前記軸受ハウジングが前記内周面の中に収容された状態において、前記ステータコアと前記軸受ハウジングとを固定可能にする固定機構を更に備えており、該固定機構は、前記ステータコアの一端に前記軸線方向において接触可能に形成された開放端を有する環状の部材と、前記軸受ハウジングにおいて前記環状の部材を収容可能に形成された溝とを有し、前記溝は、前記軸受ハウジングが前記内周面の中に収容された状態において、前記環状の部材が前記ステータコアの一端に前記軸線方向において接触するように、前記環状の部材を収容可能に形成されている。
【００１２】
本発明の一態様に係るステータの取り付け構造は、前記軸受ハウジングが前記内周面の中に収容された状態において、前記ステータコアと前記軸受ハウジングとを固定可能にする固定機構を更に備えており、該固定機構は、前記ステータコア及び前記軸受ハウジングに形成された前記軸線に沿って延びる孔である収容孔と、前記収容孔に挿入可能に形成された部材である挿入部材とを有しており、前記収容孔は、前記ステータコアを貫通しており、前記挿入部材は、前記ステータコア及び前記軸受ハウジングにおいて前記収容孔に収容可能になっている。
【００１３】
上記目的を達成するために、本発明に係るモータは、上述の本発明のいずれかの態様に係るステータの取り付け構造を有している。
【発明の効果】
【００１４】
本発明に係るステータの取り付け構造及びモータによれば、モータの品質を害することなく、かつ、接着剤を用いることなく、ステータと軸受ハウジングとを固定することができる。
【図面の簡単な説明】
【００１５】
【図１】本発明の第１の実施の形態に係るステータの取り付け構造を備える本発明の実施の形態に係るファンモータの軸線に沿う断面における断面図である。
【図２】本発明の第１の実施の形態に係るステータの取り付け構造における軸受ハウジングを示す斜視図である。
【図３】本発明の第１の実施の形態に係るステータの取り付け構造におけるステータコアの斜視図である。
【図４】図２に示す軸受ハウジングの挿入筒部を拡大して示す斜視図である。
【図５】本発明の第１の実施の形態における、ステータコアを軸受ハウジングに固定するための組み立て工程を示すための図である。
【図６】本発明の第１の実施の形態における、ステータコアを軸受ハウジングに固定するための組み立て工程を示すための図である。
【図７】本発明の第１の実施の形態における、ステータコアを軸受ハウジングに固定するための組み立て工程を示すための図である。
【図８】本発明の第２の実施の形態に係るステータの取り付け構造における係合部を示すための軸受ハウジングの斜視図である。
【図９】本発明の第２の実施の形態に係るステータの取り付け構造における係合部を示すためのステータコアの斜視図である。
【図１０】本発明の第２の実施の形態における、ステータコアを軸受ハウジングに固定するための組み立て工程を示すための図である。
【図１１】本発明の第２の実施の形態における、ステータコアを軸受ハウジングに固定するための組み立て工程を示すための図である。
【図１２】本発明の第２の実施の形態における、ステータコアを軸受ハウジングに固定するための組み立て工程を示すための図である。
【図１３】本発明の第２の実施の形態に係るステータの取り付け構造の第１の変形例における係合部を示すための軸受ハウジングの斜視図である。
【図１４】本発明の第２の実施の形態に係るステータの取り付け構造の第１の変形例における係合部を示すためのステータコアの斜視図である。
【図１５】本発明の第２の実施の形態に係るステータの取り付け構造の第２の変形例における係合部を示すための軸受ハウジングの斜視図である。
【図１６】本発明の第２の実施の形態に係るステータの取り付け構造の第２の変形例における係合部を示すためのステータコアの斜視図である。
【図１７】本発明の第２の実施の形態に係るステータの取り付け構造の第２の変形例の組み立て工程を示す図である。
【図１８】本発明の第３の実施の形態に係るステータの取り付け構造における係合部を示すための軸受ハウジングの斜視図である。
【図１９】本発明の第３の実施の形態に係るステータの取り付け構造における係合部を示すためのステータコアの斜視図である。
【図２０】本発明の第３の実施の形態に係るステータの取り付け構造における、ステータコアを軸受ハウジングに固定するための組み立て工程を示すための図である。
【図２１】本発明の第３の実施の形態に係るステータの取り付け構造における、ステータコアを軸受ハウジングに固定するための組み立て工程を示すための図である。
【図２２】本発明の第３の実施の形態に係るステータの取り付け構造における、ステータコアを軸受ハウジングに固定するための組み立て工程を示すための図である。
【図２３】本発明の第４の実施の形態に係るステータの取り付け構造における係合部を示すための軸受ハウジングの斜視図である。
【図２４】本発明の第４の実施の形態に係るステータの取り付け構造における係合部を示すためのステータコアの斜視図である。
【図２５】突起部が固定部に固定された状態における図２３に示す軸受ハウジングと図２４に示すステータコアとの軸線方向に沿う断面における断面図である。
【図２６】本発明の第５の実施の形態に係るステータの取り付け構造における係合部を示すための軸受ハウジングの斜視図である。
【図２７】本発明の第５の実施の形態に係るステータの取り付け構造における係合部を示すためのステータコアの斜視図である。
【図２８】本発明の第５の実施の形態に係るステータの取り付け構造における、ステータコアを軸受ハウジングに固定するための組み立て工程を示すための図である。
【図２９】本発明の第５の実施の形態に係るステータの取り付け構造における、ステータコアを軸受ハウジングに固定するための組み立て工程を示すための図である。
【図３０】本発明の第５の実施の形態に係るステータの取り付け構造における、ステータコアを軸受ハウジングに固定するための組み立て工程を示すための図である。
【図３１】固定部の変形例を示すための軸受ハウジングの部分拡大斜視図である。
【発明を実施するための形態】
【００１６】
以下、本発明の実施の形態に係るモータ及びステータの取り付け構造について図面を参照しながら説明する。本発明に係るステータの取り付け構造を有する本発明に係るモータは、特にアウターロータ型のモータである。以下の実施の形態においては、本発明に係るステータの取り付け構造を有する本発明に係るモータとして、ファンモータを例示するが、本発明に係るステータの取り付け構造を有する本発明に係るモータはファンモータに限られない。本発明に係るモータは、本発明に係るステータの取り付け構造が適用される全てのモータを含む。
【００１７】
図１は、本発明の第１の実施の形態に係るステータの取り付け構造１を備える本発明の実施の形態に係るファンモータ（モータの一例）２の軸線ｘに沿う断面における断面図である。図１に示すように、ファンモータ２は、軸受３５，３６を支持する軸受ハウジング１０を有するハウジング４０と、軸受ハウジング１０に取り付けられるステータ２０と、ロータ３０と、インペラ５０とを備えている。また、ファンモータ２には、後述する本発明の実施の形態に係るステータの取り付け構造１が設けられている。
【００１８】
ロータ３０は、シャフト３１と、シャフト３１の一端に固定されているハブホルダ３２と、ハブホルダ３２に固定されているロータヨークとして機能するカップ状のハブ３３と、ハブ３３の内周面に固定されているロータマグネット３４とを有している。ハブ３３には、複数の羽根５１を有するインペラ５０が一体的に取り付けられている。
【００１９】
ハウジング４０は、上述のように軸受ハウジング１０を有しており、また、軸受ハウジング１０の端部から円盤状に径方向に広がるベース部４１を有している。ベース部４１は軸受ハウジング１０と一体に形成されている。なお、軸受ハウジング１０は、ベース部４１に一体に形成されているものに限られない。軸受ハウジング１０は、ベース部４１と別体に形成され、軸受ハウジング１０がベース部４１に取り付けられるようになっていてもよい。例えば、別部品として作られた軸受ハウジング１０をインサート部材としてハウジング４０を成形する際にハウジング４０の他の部分と一体化するようにしてもよい。
【００２０】
上述したように、軸受ハウジング１０は、ロータ３０のシャフト３１に取り付けられた軸受３５，３６を支持する。図１に示すように、シャフト３１は、第１軸受３５及び第２軸受３６を介して軸受ハウジング１０に支持されており、ファンモータ２において軸線ｘ周りに回転可能になっている。第１軸受３５は、転がり軸受であり、シャフト３１のハブホルダ３２が取り付けられている側の端部の側に取り付けられている。また、第２軸受３６は、転がり軸受であり、シャフト３１のハブホルダ３２が取り付けられていない側の端部の側に取り付けられている。
【００２１】
第１軸受３５は、第１内輪３５ａと、第１内輪３５ａに外周側において対向する第１外輪３５ｂとを有している。第１内輪３５ａと第１外輪３５ｂとの間には複数の転動体３５ｃが設けられている。第１軸受３５は、第１内輪３５ａにシャフト３１が圧入されることによってシャフト３１に固定されている。第１軸受３５の第１内輪３５ａは、接着剤によってシャフト３１に固定されていてもよい。第１外輪３５ｂは、後述するように軸受ハウジング１０に固定されている。
【００２２】
第２軸受３６は、第２内輪３６ａと、第２内輪３６ａに外周側において対向する第２外輪３６ｂとを有している。第２内輪３６ａと第２外輪３６ｂとの間には複数の転動体３６ｃが設けられている。第２軸受３６は、第２内輪３６ａにシャフト３１が圧入されることによってシャフト３１に固定されている。第２軸受３６の第２内輪３６ａは、接着剤によってシャフト３１に固定されていてもよい。第２外輪３６ｂは、後述するように軸受ハウジング１０に固定されておらず、軸受ハウジング１０に対して軸線ｘ方向に相対移動可能になっている。
【００２３】
軸受ハウジング１０内において、第１軸受３５と第２軸受３６との間には、圧縮コイルばね等の弾性部材３７が設けられており、弾性部材３７が、第１軸受３５及び第２軸受３６に所定の予圧を付与するように、第１軸受３５及び第２軸受３６を押圧するようになっている。つまり、第１軸受３５において、第１内輪３５ａと第１外輪３５ｂとが軸線ｘ方向において互いに相対移動し、第１内輪３５ａ及び第１外輪３５ｂが夫々転動体３５ｃに所定の圧力で押し付けられた状態となる。同様に、第２軸受３６において、第２内輪３６ａと第２外輪３６ｂとが軸線ｘ方向において互いに相対移動し、第２内輪３６ａ及び第２外輪３６ｂが夫々転動体３６ｃに所定の圧力で押し付けられた状態となっている。これにより、シャフト３１が回転するときに発生する触れ回りや振動が防止される。
【００２４】
図２は、本発明の第１の実施の形態に係るステータ取り付け構造１における軸受ハウジング１０を示す斜視図であり、図３は、本発明の第１の実施の形態に係るステータ取り付け構造１におけるステータコア２１の斜視図である。本発明の第１の実施の形態に係るステータ取り付け構造１は、軸受３５，３６を支持する軸受ハウジング１０と、軸受ハウジング１０に取り付けられるステータコア２１と、軸受ハウジング１０とステータコア２１とを互いに固定可能にする係合部３とを備えている。軸受ハウジング１０は、軸線ｘに沿って延びる筒状の部分又は部材であり、ステータコア２１は、軸受ハウジング１０を収容可能に形成された、軸線ｘに沿って延びる筒面状の面である内周面２２を有している。係合部３は、軸受ハウジング１０とステータコア２１の内周面２２の一方に設けられた窪みを形成する少なくとも１つの窪み部６１と、軸受ハウジング１０とステータコア２１の内周面２２の他方に設けられた窪み部６１に収容可能に突出する少なくとも１つの突起部７１とを備えている。窪み部６１は、軸受ハウジング１０とステータコア２１の内周面２２の一方において、軸線ｘ方向における一方の端部から軸線ｘ方向における他方に向かって延びており、突起部７１を案内可能に形成されている。突起部７１は、ステータコア２１の内周面２２と軸受ハウジング１０との軸線ｘ方向における重なりが増えるに連れて、窪み部６１を軸線ｘ方向における他方に進むように設けられている。以下、ステータの取り付け構造１について具体的に説明する。
【００２５】
以下、説明の便宜上、軸線ｘ方向における一方側（図１の矢印ａ方向側）を上側とし、軸線ｘ方向における他方側（図１の矢印ｂ方向側）を下側とする。また、軸線ｘに直交する方向（以下、径方向ともいう。）において軸線ｘに近づく方向の側（図１の矢印ｃ方向側）を内周側とし、軸線ｘに直交する方向において軸線ｘから遠ざかる方向の側（図１の矢印ｄ方向側）を外周側とする。
【００２６】
図２に示すように、軸受ハウジング１０は、筒状の部材又は部分であり、軸線ｘに沿って延びている。軸受ハウジング１０は、具体的には、軸線ｘに沿って延びる円筒状又は略円筒状の形状を有しており、本実施の形態においては、軸線ｘに直交する面上に軸線ｘを中心として円環状に延びる段差を形成する部分である段差部１１を形成するように、外径の小さい部分と外径の大きい部分とを有している。
【００２７】
具体的には、軸受ハウジング１０は、軸線ｘを中心軸とする円筒状又は略円筒状の部分である挿入筒部１２と、挿入筒部１２よりも外径の大きい軸線ｘを中心軸とする円筒状又は略円筒状の部分である支持筒部１３とを有している。軸受ハウジング１０において、支持筒部１３は下側に位置しており、支持筒部１３の上側に面する端面１３ａが段差部１１となっている。軸受ハウジング１０は、例えば、互いに別部材である挿入筒部１２と支持筒部１３とが組み合わされて形成されている。具体的には、挿入筒部１２の一端側が支持筒部１３内に挿入されて固定されて軸受ハウジング１０は形成されている。挿入筒部１２と支持筒部１３とは別部材ではなく、挿入筒部１２と支持筒部１３とは一体のものであってもよい。
【００２８】
軸受ハウジング１０は、ステータ２０を軸線ｘ方向において支持可能になっている。つまり、軸受ハウジング１０の挿入筒部１２は、ステータコア２１の内周面２２内に挿入可能となっており、また、軸受ハウジング１０の段差部１１は、挿入筒部１２が内周面２２内に挿入された状態において、ステータコア２１に軸線ｘ方向において接触可能になっている。挿入筒部１２が内周面２２内に挿入されていき、段差部１１がステータコア２１に接触した状態において、例えば、挿入筒部１２は、軸線ｘ方向において内周面２２から突出するようになっている。段差部１１がステータ２０に接触した状態において、挿入筒部１２は、軸線ｘ方向において内周面２２から突出しないようになっていてもよく、また、挿入筒部１２の先端がステータ２０の端面と面一となるようになっていてもよい。
【００２９】
また、軸受ハウジング１０には、図１に示すように、シャフト３１の上側に設けられた第１軸受３５に対応する位置に、軸受ハウジング１０の内周面１０ａから内周側に突出した軸線ｘ周りに環状の受部１０ｂが形成されている。受部１０ｂは、第１軸受３５の第１外輪３５ｂの下側に面する下側面３５ｄに接触し、第１軸受３５を下側から支持するようになっている。軸受ハウジング１０の内周面１０ａの内径は、第１軸受３５の第１外輪３５ｂの外径よりも小さくなっている。第１軸受３５の第１外輪３５ｂを下側面３５ｃが受部１０ｂに接触するまで軸受ハウジング１０の内周面１０ｂ内に圧入することにより、第１軸受３５は軸線ｘ方向における所定の位置で軸受ハウジング１０に固定される。なお、軸受ハウジング１０の内周面１０ａの内径は、第１軸受３５の第１外輪３５ｂの外径と同じ又はそれよりも大きくてもよい。また、第１外輪３５ｂの軸受ハウジング１０の内周面１０ａへの固定は接着剤による固定であってもよい。
【００３０】
また、上述したように、第２軸受３６の第２外輪３６ｂは、軸受ハウジング１０に隙間嵌めされるようになっており、軸受ハウジング１０の内周面１０ａの内径は、第２軸受３６の第２外輪３６ｂの外径よりも大きくなっている。
【００３１】
軸受ハウジング１０の内周面１０ａは、図示の例においては、挿入筒部１２の内周面によって形成されている。つまり、図示の例においては、挿入筒部１２は支持筒部１３内に支持筒部１３の軸線ｘ方向における幅全体に亘って挿入されている。軸受ハウジング１０の内周面１０ａは、挿入筒部１２の内周面及び支持軸部１３の内周面によって形成されていてもよい。この場合、受部１０ｂは、例えば、挿入筒部１２の内周面に設けられる。
【００３２】
図１及び図２に示すように、軸受ハウジング１０は、支持筒部１３においてベース部４１に接続している。より具体的には、図２に示すように、支持筒部１３はベース部４１の複数のリブ４１ａに接続している。支持筒部１３はベース部４１と一体であってもよく、別体であってもよい。支持筒部１３とベース部４１とが別体である場合、支持筒部１３とベース部４１とは一体的に互いに固定されている。このように、ハウジング４０において、支持筒部１３は固定されており、軸受ハウジング１０は固定されている。なお、ベース部４１は、図２に示すように、外周壁部４１ｂを有していてもよい。外周壁部４１ｂは、リブ４１ａの外周側の端部に接続する、軸線ｘに沿って円筒状に延びる部分である。
【００３３】
ステータ２０は、複数の電磁鋼板が積層されて形成されたステータコア２１を有しており、図３に示すように、ステータコア２１は、軸線ｘに沿って筒状に延びる部分であるコア内周部２３と、コア内周部２３から外周側に向かって延びる複数の突出する部分である極歯２４を有している。コア内周部２３は、具体的には、軸線ｘを中心軸とする円筒状又は略円筒状の形状を有しており、コア内周部２３の内周面がステータコア２１の内周面２２を形成している。なお、ステータコア２１にインシュレータやコイルが設けられ、ステータ２０となる。
【００３４】
上述のように、ステータコア２１の内周面２２内には、軸受ハウジング１０の挿入筒部１２が挿入可能になっており、内周面２２の内径は、挿入筒部１２の外径と同じ、又は略同じであり、本実施の形態では、挿入筒部１２の外径よりも大きくなっている。ステータコア２１のハウジング４０に対する取り付け精度の点において、内周面２２の内径と挿入筒部１２の外径との大きさの差は小さい方が好ましい。また、ステータコア２１のコア内周部２３の軸線ｘ方向に面する端面２３ａ，２３ｂは、ステータコア２１の内周面２２内に軸受ハウジング１０の挿入筒部１２が挿入された状態において、段差部１１に接触可能に形成されている。
【００３５】
係合部３は、上述のように、窪み部６１と突起部７１とを有している。本実施の形態においては、図２及び図３に示すように、軸受ハウジング１０に窪み部６１が設けられており、ステータコア２１の内周面２２に突起部７１が設けられている。
【００３６】
図４は、図２に示す軸受ハウジング１０の挿入筒部１２を拡大して示す斜視図である。図３及び図４に示すように、係合部３は２つの窪み部６１を有しており、窪み部６１は、挿入筒部１２の外周側に面する外周面１２ａに形成されている。窪み部６１は、挿入筒部１２の外周面１２ａに窪みを形成する部分であり、外周面１２ａから内周側に窪んだ部分である。窪み部６１は、挿入筒部１２上を先端１２ｂから段差部１１側に向かって軸線ｘに沿って延びている。
【００３７】
窪み部６１は、具体的には、図４に示すように、挿入筒部１２の先端１２ｂから軸線ｘ方向に延びる窪みである案内部６１ａと、窪み部６１の端部に形成された固定部６１ｂとを有している。固定部６１ｂは、突起部７１を固定可能に形成されており、案内部６１ａに軸線ｘ周りの周方向側に隣接して設けられている。
【００３８】
案内部６１ａは、具体的には、周方向の幅（幅Ｗ１ａ）が、突起部７１の周方向の幅（幅Ｗ１ｂ）以上に（同じまたは大きく）なっており、突起部７１が案内部６１ａに軸線ｘ方向において下側に入り込んでいくことができるようになっている。また、案内部６１ａの軸線ｘ方向における幅（幅Ｗ２ａ）は、突起部７１の軸線ｘ方向における幅（幅Ｗ２ｂ）以上に（同じまたは大きく）なっている。このように、案内部６１ａは、突起部７１を軸線ｘ方向に案内可能になっており、また、突起部７１全体を案内部６１ａ内に収容可能になっている。
【００３９】
固定部６１ｂは、軸線ｘ方向に延びる窪みである挟持部６１ｃと、挟持部６１ｃを案内部６１ａに周方向において接続する接続部６１ｄとを有している。挟持部６１ｃは、軸線ｘ方向における幅（幅Ｗ３ａ）が、突起部７１の幅Ｗ２ｂよりも小さくなっており、挟持部６１ｃの軸線ｘ方向における両端部（上端６１ｅ及び下端６１ｆ）との間に突起部７１を挟持して突起部７１を固定可能に形成されている。接続部６１ｄは、案内部６１ａから挟持部６１ｃに突起部７１を案内可能に形成された周方向に延びる窪みであり、案内部６１ａの両端部（上端６１ｇ及び下端６１ｈ）を挟持部６１ｃの両端部（上端６１ｅ及び下端６１ｆ）に滑らかに夫々つないでいる。
【００４０】
具体的には、接続部６１ｄの上側の端部である上端６１ｉは、案内部６１ａの上側の端部である上端６１ｇと挟持部６１ｃの上側の端部である上端６１ｅとに滑らかに接続している。接続部６１ｄの上端６１ｉは、案内部６１ａの上端６１ｇ側から、挟持部６１ｃの上端６１ｅに向かって、周方向に対して下側に斜めに延びている。このため、挟持部６１ｃの上端６１ｅは、案内部６１ａの上端６１ｇよりも下側に位置している。案内部６１ａの上端６１ｇは、挿入筒部１２の先端１２ｂに位置しており、挿入筒部１２の先端１２ｂにおいて案内部６１ａを上側に開放している。挟持部６１ｃの上端６１ｅ及び接続部６１ｄの上端６１ｉは、下側に面する面である。接続部６１ｄの上端６１ｉは、案内部６１ａの上端６１ｇに接続しておらず、案内部６１ａの上端６１ｇよりも下側に設けられていてもよい。この場合、案内部６１ａの上端６１ｇと接続部６１ｄの上端６１ｉとは、例えば、軸線ｘに沿って延びる周方向に面する面で接続される。
【００４１】
また、接続部６１ｄの下側の端部である下端６１ｊは、案内部６１ａの下側の端部である下端６１ｈと挟持部６１ｃの下側の端部である下端６１ｆとに滑らかに接続している。接続部６１ｄの下端６１ｊは、案内部６１ａの下端６１ｈ側から、挟持部６１ｃの下端６１ｆに向かって、周方向に対して下側に斜めに延びている。このため、挟持部６１ｃの下端６１ｆは、案内部６１ａの下端６１ｈよりも下側に位置している。案内部６１ａの下端６１ｈ、挟持部６１ｃの下端６１ｆ、及び接続部６１ｄの下端６１ｊは、上側に面する面である。案内部６１ａの下端６１ｈは、接続部６１ｄの上端６１ｉと同様に、周方向に対して下側に斜めに延びている。案内部６１ａの下端６１ｈは、周方向に延びる面であってもよい。挟持部６１ｃの下端６１ｆは、段差部１１の一部となっている。挟持部６１ｃの下端６１ｆは、段差部１１の一部となっていなくてもよく、段差部１１よりも上側にあってもよい。
【００４２】
接続部６１ｄの上端６１ｉと下端６１ｊは上述のように周方向に対して下側に斜めに延びているが、上端６１ｉと下端６１ｊの傾斜は互いに異なっている。また、接続部６１ｄの軸線ｘ方向における幅は、周方向において挟持部６１ｃ側に向かうにつれて狭くなっており、案内部６１ａ側の端部における接続部６１ｄの軸線ｘ方向における幅（幅Ｗ４ａ）は、突起部７１の幅Ｗ２ｂ以上に（同じまたは大きく）なっている。
【００４３】
図３に示すように、係合部３は、２つの突起部７１を有している。突起部７１は、具体的には、図３に示すように、軸線ｘ方向に延びており、突起部７１の内周面２２からの高さ（内周方向への出っ張り）は、内周面２２内に挿入筒部１２を挿入した際、窪み部６１内を移動可能に窪み部６１内に収容可能な高さとなっている。突起部７１は、ステータコア２１の内周面２２を、軸線ｘ方向における幅全体に亘って延びている。つまり、突起部７１の上側の端部（上端７１ａ）は、ステータコア２１のコア内周部２３の上側の端面（端面２３ａ）に接続しており、突起部７１の下側の端部（下端７１ｂ）は、ステータコア２１のコア内周部２３の下側の端面（端面２３ｂ）に接続しており、また、突起部７１の周方向の幅は、内周面２２の周方向の一部を占める幅となっており、軸線ｘ方向において一定又は略一定となっている。
【００４４】
軸受ハウジング１０の挿入筒部１２において、２つの窪み部６１は、周方向に所定の角度間隔をあけて設けられており、同様に、ステータコア２１の内周面２２において、２つの突起部７１は、周方向に２つの窪み部６１の間隔と同じ所定の角度間隔をあけて設けられている。これにより、２つの突起部７１の各々は、対応２つの窪み部６１の各々に夫々挿入可能になっている。なお、窪み部６１及び突起部７１は１つ又は３つ以上設けられていてもよい。
【００４５】
次いで、上述の構成を有するステータの取り付け構造１の作用について説明する。図５乃至図７は、本発明の第１の実施の形態における、ステータの取り付け構造１の作用を説明するための図であり、ステータコア２１を軸受ハウジング１０に固定するための組み立て工程が示されている。
【００４６】
図５に示すように、ステータコア２１を軸受ハウジング１０に固定するために、つまり、ステータコア２１をハウジング４０に固定するために、先ず、ステータコア２１の内周面２２内に軸受ハウジング１０の挿入筒部１２を挿入する。この際、係合部３の突起部７１の下端７１ｂが、対応する窪み部６１の案内部６１ａに軸線ｘ方向において重なるようにし、挿入筒部１２を内周面２２内に挿入していく。この時、突起部７１は案内部６１ａ内に入り込んでいく。
【００４７】
ステータコア２１の内周面２２内への挿入筒部１２の挿入が進むと、突起部７１の下端７１ｂが案内部６１ａの下端６１ｈに接触し、突起部７１の案内部６１ａ内への案内が終了し、図６に示すように、ステータコア２１の挿入工程が終わる。この時、突起部７１の全体は案内部６１ａ内に収容されており、また、突起部７１の全体は、周方向において、窪み部６１の接続部６１ｄの少なくとも一部に対向している。また、突起部７１が案内部６１ａに沿って挿入される、挿入筒部１２の内周面２２内への挿入はこれ以上できなくなる。
【００４８】
次いで、図７に示すように、突起部７１が接続部６１ｄ内に移動するように、軸受ハウジング１０及びステータコア２１を軸線ｘ周りに互いに相対回転させる。軸受ハウジング１０及びステータコア２１の一方を他方に対して相対回転させてもよい。図示の例においては、軸受ハウジング１０を固定し、ステータコア２１を回転させている。図６に示す挿入工程の終了時に、上述のように、突起部７１の全体は周方向において接続部６１ｄの少なくとも一部に対向しているので、軸受ハウジング１０及びステータコア２１の相対回転の際に、突起部７１は接続部６１ｄ内に入り込み、接続部６１ｄ内を周方向に移動する。
【００４９】
窪み部６１の挟持部６１ｃの幅Ｗ３ａは、突起部７１の幅Ｗ２ｂよりも小さいため、突起部７１が接続部６１ｄ内を周方向に移動していくと、突起部７１の上端７１ａ及び下端７１ｂと接続部６１ｄの上端６１ｉ及び下端６１ｊとの夫々の接触により、軸受ハウジング１０及びステータコア２１の相対回転に対する回転抵抗が増していく。接続部６１ｄの上端６１ｉ及び下端６１ｊは下側に斜めに延びているため、軸受ハウジング１０及びステータコア２１の相対回転に伴い、ステータコア２１は、軸受ハウジング１０に対して更に下側に進む。
【００５０】
軸受ハウジング１０及びステータコア２１の相対回転を続け、突起部７１が接続部６１ｄを通過し、挟持部６１ｃ内に入ると、突起部７１は軸線ｘ方向において挟持部６１ｃに挟持され、また、ステータコア２１のコア内周部２３の下側の端部である端面２３ｂ（図３参照）が、軸受ハウジング１０の段差部１１に押し付けられ、軸受ハウジング１０に対してステータコア２１が軸線ｘ方向及び周方向において固定され、ハウジング４０に対してステータコア２１が軸線ｘ方向及び周方向において固定される。これにより取り付け工程が終了する。
【００５１】
なお、上述のステータの取り付け構造１においては、係合部３の窪み部６１は軸受ハウジング１０の挿入筒部１２に、係合部３の突起部７１はステータコア２１の内周面２２に夫々設けられているとしたが、窪み部６１はステータコア２１の内周面２２に、突起部７１は軸受ハウジング１０の挿入筒部１２に夫々設けられていてもよい。
【００５２】
上述のように、本実施の形態に係るステータの取り付け構造１は、軸受ハウジング１０又はステータコア２１の一方に設けられた窪み部６１に、軸受ハウジング１０又はステータコア２１の他方に設けられた突起部７１が収容されて挟持されることにより、軸受ハウジング１０に対するステータコア２１の固定を可能にしている。このため、接着剤を用いることなくステータコア２１を軸受ハウジング１０に固定することができる。また、ステータコア２１と軸受ハウジング１０との組み立て工程において、ステータコア２１に損傷が与えられることがなく、ファンモータ２の品質が害されることはない。このように、本実施の形態に係るステータの取り付け構造１及び本発明の実施の形態に係るファンモータ２は、接着剤を用いることなく、かつ、ファンモータ２の品質を害することなく、軸受ハウジング１０とステータコア２１との組み立てを行うことができる。
【００５３】
次いで、本発明の第２の実施の形態に係るステータの取り付け構造４について説明する。図８及び図９は、本発明の第２の実施の形態に係るステータの取り付け構造４を示すための図であり、図８は、ステータ取り付け構造４における係合部３ａを示すための軸受ハウジング１０の斜視図であり、図９は、ステータ取り付け構造４における係合部３ａを示すためのステータコア２１の斜視図である。本発明の第２の実施の形態に係るステータの取り付け構造４は、上述の本発明の第１の実施の形態に係るステータの取り付け構造１に対して、係合部の窪み部及び突起部の形態が異なる。以下、上述のステータの取り付け構造１と同じ又は類似する機能を有する構成については同じ符号を付してその説明を省略し、異なる構成について説明する。なお、本発明の第２の実施の形態に係るステータの取り付け構造４も、上述のファンモータ２に適用される。
【００５４】
係合部３ａは、１つの窪み部６２と、２つの突起部７２とを有している。図８及び図９に示すように、軸受ハウジング１０に窪み部６２が設けられており、ステータコア２１の内周面２２に突起部７２が設けられている。なお、軸受ハウジング１０に突起部７２が設けられ、ステータコア２１の内周面２２に窪み部６２が設けられていてもよい。
【００５５】
図８に示すように、窪み部６２は、挿入筒部１２の外周面１２ａに形成されており、挿入筒部１２の外周面１２ａに窪みを形成している。窪み部６２は、挿入筒部１２上を先端１２ｂから段差部１１側に向かって軸線ｘに沿って延びている。窪み部６２は、具体的には、挿入筒部１２の先端１２ｂから軸線ｘ方向に延びる窪みである案内部６２ａと、窪み部６２の端部に形成された２つの固定部６２ｂとを有している。固定部６２ｂは各々、突起部７２を固定可能に形成された窪みであり、案内部６２ａに周方向側に隣接して設けられており、案内部６２ａから周方向に延びている。
【００５６】
案内部６２ａは、周方向の幅（幅Ｗ１ｃ）が、突起部７２の周方向の幅（幅Ｗ１ｄ）以上に（同じまたは大きく）なっており、突起部７２が案内部６２ａに軸線ｘ方向において下側に入り込んでいくことができるようになっている。固定部６２ｂの一方は、案内部６２ａの下側の端部（下端部６２ｃ）に接続しており、固定部６２ｂの他方は、下端部６２ｃよりも上側の位置において案内部６２ａに接続している。固定部６２ｂの軸線ｘ方向における幅（幅Ｗ２ｃ）は、突起部７２の軸線ｘ方向における幅（幅Ｗ２ｄ）よりも小さくなっている。なお、下側の固定部６２ｂが設けられる位置、つまり、軸線ｘ方向において下側の固定部６２ｂが案内部６２ａに接続する位置は、案内部６２ａの下端部６２ｃに限られず、下端部６２ｃよりも上側であってもよい。
【００５７】
図９に示すように、突起部７２は、ステータコア２１の内周面２２に設けられており、内周面２２から突出する軸線ｘ方向に延びる部分である。突起部７２の内周面２２からの高さ（内周方向への出っ張り）は、内周面２２内に挿入筒部１２を挿入した際、窪み部６２内を移動可能に窪み部６２内に収容可能な高さとなっている。内周面２２内に挿入筒部１２を挿入して、ステータコア２１のコア内周部２３の下側の端面２３ｂが軸受ハウジング１０の段差部１１に接触した状態で、２つの突起部７２は、案内部６２ａ内において２つの固定部６２ｂに周方向において夫々対向するような位置となるように、内周面２２において２つの突起部７２は配置されている。また、２つの突起部７２は、軸線ｘ方向に並んで設けられている。
【００５８】
次いで、上述の構成を有するステータの取り付け構造４の作用について説明する。図１０乃至図１２は、ステータの取り付け構造４の作用を説明するための図であり、ステータコア２１を軸受ハウジング１０に固定するための組み立て工程が示されている。
【００５９】
図１０に示すように、ステータコア２１を軸受ハウジング１０に固定するために、先ず、ステータコア２１の内周面２２内に軸受ハウジング１０の挿入筒部１２を挿入する。この際、係合部３ａの突起部７２が、窪み部６２の案内部６２ａに軸線ｘ方向において重なるようにし、挿入筒部１２を内周面２２内に挿入していく。この時、下側の突起部７２が案内部６２ａ内に入り込んでいく。ステータコア２１の内周面２２内への挿入筒部１２の挿入が進むと、上側の突起部７２も案内部６２ａ内に入り込んでいき、２つの突起部７２が案内部６２ａを案内される。ステータコア２１のコア内周部２３の下側の端面２３ｂが、軸受ハウジング１０の段差部１１に接触すると、突起部７２の案内部６２ａ内への案内が終了し、図１１に示すように、ステータコア２１の挿入工程が終わる。この時、下側の突起部７２は下側の固定部６２ｂに周方向において対向しており、また、上側の突起部７２は上側の固定部６２ｂに周方向において対向している。また、この時、下側の突起部７２は、案内部６２ａの下側の端部（下端６２ｄ）に接触するようになっていてもよい。下端６２ｄは、上側に面する面である。
【００６０】
次いで、図１２に示すように、突起部７２が対応する固定部６２ｂ内に移動するように、軸受ハウジング１０及びステータコア２１を軸線ｘ周りに互いに相対回転させると、突起部７２は対応する固定部６２ｂ内に入り込む。突起部７２の幅Ｗ２ｄは、固定部６２ｂの幅Ｗ２ｃよりも大きいため、突起部７２が固定部６２ｂ内に入ると、突起部７２は軸線ｘ方向において固定部６２ｂに挟持され固定部６２ｂに固定される。これにより、軸受ハウジング１０に対してステータコア２１が軸線ｘ方向及び周方向において固定され、ハウジング４０に対してステータコア２１が軸線ｘ方向及び周方向において固定される。これにより取り付け工程が終了する。
【００６１】
このように、本実施の形態に係るステータの取り付け構造４においても、上述のステータの取り付け構造１と同様に、接着剤を用いることなく、かつ、ファンモータ２の品質を害することなく、軸受ハウジング１０とステータコア２１との組み立てを行うことができる。
【００６２】
なお、上述のように、ステータの取り付け構造４においては、窪み部６２は２つの固定部６２ｂを有しており、係合部３ａは対応して２つの突起部７２を有しているとしたが、本実施の形態に係るステータの取り付け構造４における固定部６２ｂ及び突起部７２の数はこれに限られない。ステータの取り付け構造４は、１つ又は３つ以上の固定部６２ｂを有していてもよい、対応して、係合部３ａは対応する１つ又は３つ以上の突起部７２を有していてもよい。この場合も上述のように、１組の固定部６２ｂ及び突起部７２は対応しており、ステータコア２１のコア内周部２３の下側の端面２３ｂが軸受ハウジング１０の段差部１１に接触している状態で、各突起部７２は対応する固定部６２ｂに周方向において対向しており、対応する固定部６２ｂ内に入り込むことができるようになっている。
【００６３】
また、係合部３ａは周方向に間隔をあけて設けられた複数の窪み部６２を有していてもよく、この場合、対応して係合部３ａには、周方向に間隔をあけて設けられ複数の対応する突起部７２を設けるようにしてもよい。また、固定部６２ｂが延びる向きは周方向に限られず、軸線ｘ方向等の他の方向であってもよい。また、案内部６２ａの延びる向きは上述の軸線ｘ方向に限られず、また、案内部６２ａは１つの直線状に延びる窪みに限られず、複数の直線状に延びる窪みが組み合わされて形成されたものであってもよく、曲線状に延びる窪みや複数の曲線状に延びる窪みが組み合わされて形成されたものであってもよい。また、案内部６２ａは、１つ又は複数の直線状に延びる窪みと１つ又は複数の曲線状の窪みが組み合わされて形成されたものであってもよい。
【００６４】
次いで、上述の本発明の第２の実施の形態に係るステータの取り付け構造４の変形例について説明する。図１３及び図１４は、本発明の第２の実施の形態に係るステータ取り付け構造４の第１の変形例を示すための図であり、図１３は、ステータ取り付け構造４の第１の変形性における係合部３ａを示すための軸受ハウジング１０の斜視図であり、図１４は、ステータ取り付け構造４の第１の変形例における係合部３ａを示すためのステータコア２１の斜視図である。以下、ステータの取り付け構造４に対する第１の変形例の異なる構成を説明する。
【００６５】
図１３に示すように、第１の変形例の係合部３ａは、２つの窪み部６３，６４を軸受ハウジング１０の挿入筒部１２の外周面１２ａに有している。窪み部６３は、窪み部６２の案内部６２ａと同様に軸線ｘ方向に延びる案内部６３ａと、案内部６３ａの下側の端部（下端部６３ｂ）に接続している固定部６２ｂとを有している。また、窪み部６４も同様に、窪み部６２の案内部６２ａと同様に軸線ｘ方向に延びる案内部６４ａと、案内部６４ａの下側の端部（下端部６４ｂ）に接続している固定部６２ｂとを有している。窪み部６３と窪み部６４とは、周方向に所定の角度間隔をあけて設けられている。
【００６６】
図１４に示すように、第１の変形例の係合部３ａは、２つの突起部７２をステータコア２１の内周面２２に有している。２つの突起部７２は、窪み部６３と窪み部６４との間の周方向の所定の角度間隔と同じ角度間隔をあけて設けられており、２つの突起部７２は夫々、窪み部６３，６４内に入り込むことができるようになっている。また、２つの突起部７２の内、周方向において窪み部６３と同じ側にある突起部７２（図１４において左側の突起部７２）は、内周面２２内に挿入筒部１２を挿入して、ステータコア２１のコア内周部２３の下側の端面２３ｂが軸受ハウジング１０の段差部１１に接触した状態で、案内部６３ａ内において固定部６２ｂに周方向において対向するような位置となるように、内周面２２において配置されている。また、２つの突起部７２の内、周方向において窪み部６４と同じ側にある突起部７２（図１４において右側の突起部７２）は、内周面２２内に挿入筒部１２を挿入して、ステータコア２１のコア内周部２３の下側の端面２３ｂが軸受ハウジング１０の段差部１１に接触した状態で、案内部６４ａ内において固定部６２ｂに周方向において対向するような位置となるように、内周面２２において配置されている。
【００６７】
上述のステータの取り付け構造４の第１の変形例も、上述のステータの取り付け構造４と同様に作用し、挿入工程において、一方の突起部７２が案内部６３ａ内を案内され、他方の突起部７２が案内部６４ａ内を案内される。そして、ステータコア２１のコア内周部２３の下側の端面２３ｂが軸受ハウジング１０の段差部１１に接触して挿入工程が終了した後に、軸受ハウジング１０及びステータコア２１を軸線ｘ周りに互いに相対回転させると、一方の突起部７２が窪み部６３の固定部６２ｂ内に入り込み、この突起部７２が窪み部６３の固定部６２ｂに挟持されて固定され、また、他方の突起部７２が窪み部６４の固定部６２ｂ内に入り込み、この突起部７２が固定部６２ｂに挟持されて固定される。これにより、軸受ハウジング１０に対してステータコア２１が軸線ｘ方向及び周方向において固定され、ハウジング４０に対してステータコア２１が軸線ｘ方向及び周方向において固定される。
【００６８】
このように、ステータの取り付け構造４の第１の変形例も、上述のステータの取り付け構造４と同様に作用し、同様の効果を奏することができる。
【００６９】
なお、ステータの取り付け構造４の第１の変形例は、２つの窪み部６３，６４を有しているとしたが、いずれか１つを有するようにしてもよい。また、対応して、対応する突起部７２のいずれか１つを有するようにしてもよい。
【００７０】
図１５，１６は、本発明の第２の実施の形態に係るステータ取り付け構造４の第２の変形例を示すための図であり、図１５は、ステータ取り付け構造４の第２の変形例における係合部３ａを示すための軸受ハウジング１０の斜視図であり、図１６は、ステータ取り付け構造４の第２の変形例における係合部３ａを示すためのステータコア２１の斜視図である。以下、ステータの取り付け構造４に対する第２の変形例の異なる構成を説明する。
【００７１】
図１５に示すように、第１の変形例の係合部３ａは、１つの窪み部６５を軸受ハウジング１０の挿入筒部１２の外周面１２ａに有している。窪み部６５は、挿入筒部１２の先端１２ｂから下側に延びる窪みである案内部６５ａと、案内部６５ａの下側の端部（下端部６５ｂ）に接続している固定部６２ｂとを有している。案内部６５ａは、軸線ｘ方向に延びる部分である下側案内部６５ｃと、下側案内部６５ｃの端部から周方向に延びる部分である周方向案内部６５ｄとを有している。固定部６２ｂは、周方向案内部６５ｄの端部（下端部６５ｂ）に接続しており、固定部６２ｂは、周方向案内部６５ｄから軸線ｘ方向に上側に延びており、図８及び図１３に示す周方向に延びる固定部６２ｂとは延びる方向が異なる。案内部６５ａは、案内部６２ａ（図８参照）と同様に、延び方向に対する幅つまり延び方向に直交する方向の幅（幅Ｗ１ｅ）が突起部７２の周方向の幅（幅Ｗ１ｄ）（図９参照）以上に（同じまたは大きく）なっている。
【００７２】
また、図１６に示すように、第２の変形例の係合部３ａは、１つの突起部７２をステータコア２１の内周面２２に有している。突起部７２は、窪み部６５内に入り込むことができるようになっており、また、内周面２２内に挿入筒部１２を挿入して、ステータコア２１のコア内周部２３の下側の端面２３ｂが軸受ハウジング１０の段差部１１に接触した状態で、案内部６５ａの周方向案内部６５ｄ内を移動可能となるように、突起部７２は、内周面２２において配置されている。突起部７２の内周面２２における位置は、内周面２２内に挿入筒部１２を挿入して、ステータコア２１のコア内周部２３の下側の端面２３ｂが軸受ハウジング１０の段差部１１に接触した状態になることなく、突起部７２が下側案内部６５ｃの下側の端部（下端６５ｅ）に接触するような位置であってもよい。
【００７３】
上述のステータの取り付け構造４の第２の変形例も、上述のステータの取り付け構造４と同様に作用し、挿入工程において、突起部７２が案内部６５ａの下側案内部６５ｃ内を案内される。そして、ステータコア２１のコア内周部２３の下側の端面２３ｂが軸受ハウジング１０の段差部１１に接触して挿入工程が終了した後に、軸受ハウジング１０及びステータコア２１を軸線ｘ周りに互いに相対回転させると、突起部７２が周方向案内部６５ｄ内を案内される。この相対回転により、突起部７２が周方向案内部６５ｄ内を下端部６５ｂまで案内されると、突起部７２が周方向案内部６５ｄの端部６５ｆに接触し、軸受ハウジング１０及びステータコア２１の更なる相対回転ができなくなる。この時、突起部７２は、軸線ｘ方向において固定部６２ｂに対向している。
【００７４】
この状態において、図１７に示すように、軸受ハウジング１０及びステータコア２１を軸線ｘ方向において互いに離れる方向に相対移動させると、突起部７２が固定部６２ｂ内に入り込み、突起部７２が固定部６２ｂに周方向において挟持されて固定される。これにより、軸受ハウジング１０に対してステータコア２１が軸線ｘ方向及び周方向において固定され、ハウジング４０に対してステータコア２１が軸線ｘ方向及び周方向において固定される。
【００７５】
このように、ステータの取り付け構造４の第２の変形例も、上述のステータの取り付け構造４と同様に作用し、同様の効果を奏することができる。
【００７６】
次いで、本発明の第３の実施の形態に係るステータの取り付け構造５について説明する。図１８及び図１９は、本発明の第３の実施の形態に係るステータの取り付け構造５を示すための図であり、図１８は、ステータの取り付け構造５における係合部３ｂを示すための軸受ハウジング１０の斜視図であり、図１９は、ステータの取り付け構造５における係合部３ｂを示すためのステータコア２１の斜視図である。本発明の第３の実施の形態に係るステータの取り付け構造５は、上述の本発明の第１の実施の形態に係るステータの取り付け構造１に対して、係合部の窪み部及び突起部の形態が異なり、また、固定機構８０を有している点で異なる。以下、上述のステータの取り付け構造１と同じ又は類似する機能を有する構成については同じ符号を付してその説明を省略し、異なる構成について説明する。なお、本発明の第３の実施の形態に係るステータの取り付け構造５も、上述のファンモータ２に適用される。
【００７７】
図１８に示すように、係合部３ｂは、１つの窪み部６６を軸受ハウジング１０の挿入筒部１２の外周面１２ａに有している。窪み部６６は、挿入筒部１２の先端１２ｂから下側に延びる窪みである案内部６６ａと、案内部６６ａの下側の端部（下端部６６ｂ）に接続している固定部６２ｂを有している。案内部６６ａは、軸線ｘ方向に延びる部分である下側案内部６６ｃと、下側案内部６６ｃの端部から周方向に延びる部分である周方向案内部６６ｄとを有している。固定部６２ｂは、周方向案内部６６ｄの端部（下端部６６ｂ）に接続しており、固定部６２ｂは、周方向案内部６６ｄから軸線ｘ方向に下側に延びており、図８及び図１３に示す周方向に延びる固定部６２ｂとは延びる方向が異なる。案内部６６ａは、案内部６２ａ（図８参照）と同様に、延び方向に対する幅（幅Ｗ１ｆ）が突起部７２の周方向の幅（幅Ｗ１ｄ）（図９参照）以上に（同じまたは大きく）なっている。
【００７８】
また、図１９に示すように、係合部３ｂは、１つの突起部７２をステータコア２１の内周面２２に有している。突起部７２は、窪み部６６内に入り込むことができるようになっており、また、内周面２２内に挿入筒部１２を挿入して、突起部７２を下側案内部６６ｃ内を下側に移動していき、突起部７２が下側案内部６６ｃの下側の端部（下端６６ｅ）に接触した際に、ステータコア２１のコア内周部２３の下側の端面２３ｂが軸受ハウジング１０の段差部１１よりも上側に位置するように、突起部７２は、内周面２２において配置されている。
【００７９】
また、ステータの取り付け構造５は、上述のように固定機構８０を備えている。固定機構８０は、軸受ハウジング１０がステータコア２１の内周面２２の中に収容された状態において、ステータコア２１と軸受ハウジング１０とを固定可能にする機構である。具体的には、図１８に示すように、固定機構８０は、ステータコア２１のコア内周部２３の上側の端面２３ａに軸線ｘ方向において接触可能に形成された開放端を有する環状の部材であるリングフック８１と、軸受ハウジング１０においてリングフック８１を収容可能に形成された溝８２とを有している。
【００８０】
リングフック８１は、例えば図１８に示すように、無端状ではない端部を有する環状の部材であり、溝８２内に収容可能な円弧状の部分である係合部８１ａと、係合部８１ａの両端から夫々延びる開放部８１ｃを形成する一対の端部８１ｂとを有している。端部８１ｂは、開放端８１ｃから軸受ハウジング１０の挿入筒部１２が入り込むことができるようになっている。
【００８１】
図１８に示すように、溝８２は、例えば、リングフック８１の係合部８１ａを収容可能に挿入筒部１２の外周面１２ａに形成された内周側に窪む溝である。また、溝８２は、軸受ハウジング１０の挿入筒部１２がステータコア２１の内周面２２の中に収容された状態において、リングフック８１がステータコア２１のコア内周部２３の上側の端面２３ａに軸線ｘ方向において接触するよう形成されている。より具体的には、突起部７２が窪み部６６の固定部６２ｂに固定された状態において、溝８２に係合部８１ａが収容されたリングフック８１が、ステータコア２１のコア内周部２３の上側の端面２３ａに軸線ｘ方向において上側から接触するように、溝８２は形成されている。
【００８２】
次いで、上述の構成を有するステータの取り付け構造５の作用について説明する。図２０乃至図２２は、ステータの取り付け構造５の作用を説明するための図であり、ステータコア２１を軸受ハウジング１０に固定するための組み立て工程が示されている。
【００８３】
図２０に示すように、ステータコア２１を軸受ハウジング１０に固定するために、先ず、ステータコア２１の内周面２２内に軸受ハウジング１０の挿入筒部１２を挿入する。この際、係合部３ｂの突起部７２が、窪み部６６の案内部６６ａの下側案内部６６ｃに軸線ｘ方向において重なるようにし、挿入筒部１２を内周面２２内に挿入していく。ステータコア２１の内周面２２内への挿入筒部１２の挿入が進むと、突起部７２も下側案内部６６ｃ内に入り込んでいき、突起７２が下側案内部６６ｃの下端６６ｅに接触する。これにより、ステータコア２１の内周面２２内への挿入筒部１２の更なる挿入ができなくなり挿入工程が終了する。
【００８４】
挿入工程が終了した後に、図２１に示すように、軸受ハウジング１０及びステータコア２１を軸線ｘ周りに互いに相対回転させると、突起部７２が周方向案内部６６ｄ内を案内される。この相対回転により、突起部７２が周方向案内部６６ｄ内を下端部６６ｂまで案内されると、突起部７２が周方向案内部６６ｄの端部６６ｆに接触し、軸受ハウジング１０及びステータコア２１の更なる相対回転ができなくなる。この時、突起部７２は、軸線ｘ方向において固定部６２ｂに対向している。
【００８５】
この状態において、図２１に示すように、軸受ハウジング１０及びステータコア２１を軸線ｘ方向において互いに近づく方向に相対移動させると、例えば、軸受ハウジング１０を固定してステータコア２１を下側に動かすと、突起部７２が固定部６２ｂ内に入り込み、突起部７２が固定部６２ｂに周方向において挟持されて固定される。この時、コア内周部２３の上側の端面２３ａから挿入筒部１２の上側の部分が所定量突き出し、溝８２の下側の端面８２ａがコア内周部２３の端面２３ａと面一又は略面一となるように溝８２が内周面２２から現れる。突起部７２が固定部６２ｂに固定されている状態において、コア内周部２３の下側の端面２３ｂは軸受ハウジング１０の段差部１１に接触するようになっていてもよい。
【００８６】
この状態で、図２２に示すように、リングフック８１の開放部８１ｃから挿入筒部１２を挿入し、リングフック８１の係合部８１ａを溝８２内に収容させ、係合部８１ａを溝８２に係合させる。これにより、リングフック８１は、挿入筒部１２に固定される。この時、リングフック８１は、コア内周部２３の端面２３ａに軸線ｘ方向において上側から接触し、ステータコア２１を上側から固定する。これにより、軸受ハウジング１０に対してステータコア２１が軸線ｘ方向及び周方向において固定され、ハウジング４０に対してステータコア２１が軸線ｘ方向及び周方向において固定される。
【００８７】
このように、本発明の第３の実施の形態に係るステータの取り付け構造５も、接着剤を用いることなく、かつ、ファンモータ２の品質を害することがなく、軸受ハウジング１０とステータコア２１との組み立てを行うことができる。また、固定機構８０により、より強固に軸受ハウジング１０とステータコア２１とを固定することができる。
【００８８】
上述の固定機構８０は、ステータの取り付け構造１，３に対しても適用することができる。上述のように固定機構８０は軸線ｘ方向においてステータコア２１の移動を防止する。このため、図１５に示すように、軸線ｘ方向に延びる固定部６２ｂを有するステータの取り付け構造に対して固定機構８０はより効果的に作用する。
【００８９】
次いで、本発明の第４の実施の形態に係るステータの取り付け構造６について説明する。図２３及び図２４は、本発明の第４の実施の形態に係るステータの取り付け構造６を示すための図であり、図２３は、ステータの取り付け構造６における係合部３ｃを示すための軸受ハウジング１０の斜視図であり、図２４は、ステータの取り付け構造６における係合部３ｃを示すためのステータコア２１の斜視図である。本発明の第４の実施の形態に係るステータの取り付け構造６は、上述の本発明の第２の実施の形態に係るステータの取り付け構造４の第１の変形例に対して、係合部の窪み部及び突起部の形態が異なり、また、固定機構８３を有している点で異なる。以下、上述の第１の変形例に係るステータの取り付け構造４と同じ又は類似する機能を有する構成については同じ符号を付してその説明を省略し、異なる構成について説明する。なお、本発明の第４の実施の形態に係るステータの取り付け構造６も、上述のファンモータ２に適用される。
【００９０】
図２３及び図２４に示すように、係合部３ｃは、図１３に示す窪み部６３，６４のいずれか一方、また、図１４に示す突起部７２のいずれか一方を有している。係合部３ｃは、例えば、窪み部６３を有しており、また、窪み部６３に対応する突起部７２を有している。突起部７２は、上述の本発明の第２の実施の形態に係るステータの取り付け構造４の第１の変形例と同様に、窪み部６３の案内部６３ａを案内され、固定部６２ｂに固定される。
【００９１】
固定機構８３は、軸受ハウジング１０の挿入筒部１２がステータコア２１の内周面２２の中に収容された状態において、ステータコア２１と軸受ハウジング１０とを固定可能にするものである。図２５は、突起部７２が固定部６２ｂに固定された状態における軸受ハウジング１０とステータコア２１との軸線ｘ方向に沿う断面における断面図である。図２５に示す状態において、固定機構８３は作用する。
【００９２】
図２５に示すように、固定機構８３は、具体的には、ステータコア２１及び軸受ハウジング１０に形成された軸線ｘに沿って延びる孔である収容孔８４と、収容孔８４に挿入可能に形成された部材である挿入部材としての棒状のピン８５とを有している。収容孔８５は、ステータコア２１を貫通しており、ピン８５は、ステータコア２１及び軸受ハウジング１０において収容孔８４に収容可能になっている。収容孔８４は、ステータコア２１を貫通する貫通孔である孔８４ａと、軸受ハウジング１０に形成された孔８４ｂとを有している。孔８４ａと孔８４ｂとは、突起部７２が固定部６２ｂに固定された状態において、軸線ｘ方向から見て互いに重なるように、ステータコア２１と軸受ハウジング１０とに形成されている。孔８４ａは、例えばステータコア２１のコア内周部２３に形成されている。また孔８４ｂは、例えば、軸受ハウジング１０の支持筒部１３に形成されており、段差部１１から軸線ｘに沿って下側に延びている。孔８４ｂは、支持筒部１３を貫通していてもよく、貫通していなくてもよい。
【００９３】
次いで、上述の構成を有するステータの取り付け構造６の作用について説明する。上述の本発明の第２の実施の形態に係るステータの取り付け構造４の第１の変形例と同様に、ステータコア２１の内周面２２内に軸受ハウジング１０の挿入筒部１２を挿入していき、突起部７２が窪み部６３の案内部６３ａを案内される。そして、ステータコア２１のコア内周部２３の下側の端面２３ｂが軸受ハウジング１０の段差部１１に接触して挿入工程が終了した後に、軸受ハウジング１０及びステータコア２１を軸線ｘ周りに互いに相対回転させると、突起部７２が窪み部６３の固定部６２ｂ内に入り込み、突起部７２が固定部６２ｂに挟持されて固定される。この状態において、図２５に示すように、孔８４ａと孔８４ｂとは、軸線ｘに平行な線上に延びており、ピン８５を孔８４ａに挿入して孔８４ａを貫通させ、ピン８５を孔８４ｂに挿入し、孔８４ａ及び孔８４ｂ内にピン８５を収容させる。これにより、ピン８５が軸受ハウジング１０とステータコア２１との間の相対回転を防止する。これにより、軸受ハウジング１０に対してステータコア２１が軸線ｘ方向及び周方向において固定され、ハウジング４０に対してステータコア２１が軸線ｘ方向及び周方向において固定される。
【００９４】
このように、本発明の第４の実施の形態に係るステータの取り付け構造６も、接着剤を用いることなく、かつ、ファンモータ２の品質を害することがなく、軸受ハウジング１０とステータコア２１との組み立てを行うことができる。また、固定機構８３により、より強固に軸受ハウジング１０とステータコア２１とを固定することができる。
【００９５】
上述の固定機構８３は、ステータの取り付け構造１，３に対しても適用することができる。上述のように固定機構８３は軸線ｘ周りの周方向において軸受ハウジング１０に対するステータコア２１の移動を防止する。このため、図８及び図１３に示すように、周方向に延びる固定部６２ｂを有するステータの取り付け構造に対して固定機構８３はより効果的に作用する。
【００９６】
ピン８５は、軸受ハウジング１０の孔８４ｂに圧入されるようになっていてもよい。また、ピン８５は、ボルト状の部材であってもよい。具体的には、ピン８５の一端にねじ山（雄ねじ）が形成されており、他端にボルトヘッドが形成されていてもよい。この場合、軸受ハウジング１０側の孔８４ｂにねじ山（雌ねじ）が形成される。
【００９７】
次いで、本発明の第５の実施の形態に係るステータの取り付け構造７について説明する。図２６及び図２７は、本発明の第５の実施の形態に係るステータの取り付け構造７を示すための図であり、図２６は、ステータの取り付け構造７における係合部３ｄを示すための軸受ハウジング１０の斜視図であり、図２７は、ステータの取り付け構造７における係合部３ｄを示すためのステータコア２１の斜視図である。本発明の第５の実施の形態に係るステータの取り付け構造７は、上述の本発明の第２の実施の形態に係るステータの取り付け構造１に対して、係合部の窪み部及び突起部の形態が異なる。以下、上述のステータの取り付け構造１と同じ又は類似する機能を有する構成については同じ符号を付してその説明を省略し、異なる構成について説明する。なお、本発明の第５の実施の形態に係るステータの取り付け構造７も、上述のファンモータ２に適用される。
【００９８】
図２６に示すように、係合部３ｄは１つの窪み部６７を有している。窪み部６７は、挿入筒部１２の外周面１２ａに形成されており、挿入筒部１２の外周面１２ａに窪みを形成する部分であり、外周面１２ａから内周側に窪んだ部分である。窪み部６７は、挿入筒部１２上を先端１２ｂから段差部１１側に向かって軸線ｘ周りに螺旋を描いて延びている。窪み部６７の延び方向に対する幅（幅Ｗ１ｇ）は、突起部７３の軸線ｘ方向における幅（幅Ｗ２ｅ）以上に（同じまたは大きく）なっており、突起部７３が窪み部６７内に入り込んでいくことができるようになっている。窪み部６７と下側の端部には固定部６２ｂが形成されている。固定部６２ｂは、窪み部６７と同様の螺旋軌道上又は周方向に延びている。
【００９９】
図２７に示すように、係合部３ｄは１つの窪み部６７に対応する突起部７３を有している。突起部７３は、ステータコア２１の内周面２２に設けられており、内周面２２から突出する軸線ｘ方向に延びる部分である。突起部７３の内周面２２からの高さ（内周方向への出っ張り）は、内周面２２内に挿入筒部１２を挿入した際、窪み部６７内を移動可能に窪み部６７内に収容可能な高さとなっている。突起部７３の突出方向に直交する断面形状は、例えば矩形状や円形状であり、窪み部６７の螺旋形状に対応する形状となっていてもよい。
【０１００】
内周面２２内に挿入筒部１２を挿入して、ステータコア２１のコア内周部２３の下側の端面２３ｂが軸受ハウジング１０の段差部１１に接触した状態になるまで、突起部７３が窪み部６７内を案内されるように、突起部７３及び窪み部６７は形成されている。また、ステータコア２１のコア内周部２３の下側の端面２３ｂが軸受ハウジング１０の段差部１１に接触した際に、突起部７３が固定部６２ｂに入り込んでいるように、突起部７３及び固定部６２ｂは形成されている。
【０１０１】
次いで、上述の構成を有するステータの取り付け構造７の作用について説明する。図２８乃至図３０は、ステータの取り付け構造７の作用を説明するための図であり、ステータコア２１を軸受ハウジング１０に固定するための組み立て工程が示されている。
【０１０２】
図２８に示すように、ステータコア２１を軸受ハウジング１０に固定するために、先ず、係合部３ｄの突起部７３が、窪み部６７の上側の端部である上端６７ａに軸線ｘ方向において重なるようにし、ステータコア２１を軸受ハウジング１０に対して周方向に回転する。ステータコア２１を軸受ハウジング１０に対して周方向に回転することにより、突起部７３が螺旋状の窪み部６７を下側に案内され、図２９に示すように、ステータコア２１が挿入筒部１２に対して下側に進んでいき、挿入部１２が内周面２２内に挿入していく。
【０１０３】
ステータコア２１を軸受ハウジング１０に対して周方向に回転していくと、図３０に示すように、ステータコア２１のコア内周部２３の下側の端面２３ｂが、軸受ハウジング１０の段差部１１に接触する。これにより、ステータコア２１の挿入工程が終わる。この時、突起部７３は固定部６２ｂ内に入り込んでおり、突起部７３の幅Ｗ２ｅは、固定部６２ｂの幅Ｗ２ｃ（図８参照）よりも大きいため、突起部７２は固定部６２ｂに挟持され固定部６２ｂに固定される。これにより、軸受ハウジング１０に対してステータコア２１が軸線ｘ方向及び周方向において固定され、ハウジング４０に対してステータコア２１が軸線ｘ方向及び周方向において固定される。これにより取り付け工程が終了する。
【０１０４】
このように、本実施の形態に係るステータの取り付け構造７においても、接着剤を用いることなく、かつ、ファンモータ２の品質を害することなく、軸受ハウジング１０とステータコア２１との組み立てを行うことができる。
【０１０５】
なお、上述のように、ステータの取り付け構造７においては、窪み部６７は固定部６２ｂを有しているとしたが、窪み部６７は固定部６２ｂを有していなくてもよい。この場合、ステータコア２１のコア内周部２３の下側の端面２３ｂが、軸受ハウジング１０の段差部１１に接触している状態において、突起部７３と窪み部６７との間に窪み部６７の案内方向の摩擦が発生しているようにすることが好ましい。
【０１０６】
以上、本発明の実施の形態について説明したが、本発明に係るステータの取り付け構造は上記本発明の実施の形態に係るステータの取り付け構造１，４〜７に限定されるものではなく、また、本発明に係るモータは上記本発明の実施の形態に係るファンモータ２に限定されるものではない。本発明に係るステータの取り付け構造及び本発明に係るモータは、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成の形状、材料、配置、サイズ等は、本発明の具体的使用態様によって適宜変更され得る。
【０１０７】
例えば、固定部６２ｂは単に幅が突起部７２，７３の幅よりも狭くなっているものに限られない。図３１は、固定部６２ｂの変形例を示すための軸受ハウジング１０の部分拡大斜視図である。固定部６２ｂは、図３１に示すように、一部において固定部６２ｂの案内方向に対する幅が、突起部７２，７３の幅よりも小さくなっているものであってもよい。具体的には、変形例に係る固定部６２ｂは、固定部６２ｂの案内方向（周方向）に対する幅（軸線ｘ方向における幅）を突起部７２，７３の幅（幅Ｗ２ｄ，Ｗ２ｅ）よりも小さくする一対の対向する楔部６８を有しており、また、楔部６８に隣接する収容部６９を有している。収容部６９の案内方向（周方向）に対する幅（軸線ｘ方向における幅）は、一対の対向する楔部６８の間における案内方向に対する幅よりも大きくなっている。
【０１０８】
このため、一対の対向する楔部６８の間を超えて収容部６９内に収容された突起部７２，７３は、一対の楔部６８に引っ掛かり、収容部６９から出ることができず、突起部７２，７３を収容部６９内に保持して、突起部７２，７３を固定部６２ｂに対して固定することができる。
【符号の説明】
【０１０９】
１，４，５，６，７…ステータの取り付け構造、２…ファンモータ（モータの一例）、３，３ａ，３ｂ，３ｃ，３ｄ…係合部、１０…軸受ハウジング、１０ａ…内周面、１０ｂ…受部、１１…段差部、１２…挿入筒部、１２ａ…外周面、１２ｂ…先端、１３…支持筒部、１３ａ…端面、２０…ステータ、２１…ステータコア、２２…内周面、２３…コア内周部、２３ａ，２３ｂ…端面、２４…極歯、３０…ロータ、３１…シャフト、３２…ハブホルダ、３３…ハブ、３４…ロータマグネット、３５…第１軸受、３５ａ…第１内輪、３５ｂ…第１外輪、３５ｃ…転動体、３５ｄ…下側面、３６…第２軸受、３６ａ…第２内輪、３６ｂ…第２外輪、３６ｃ…転動体、３７…弾性部材、４０…ハウジング、４１…ベース部、４１ａ…リブ、４１ｂ…外周壁部、５０…インペラ、５１…羽根、６１，６２、６３，６４，６５，６６，６７…窪み部、６１ａ，６２ａ，６３ａ，６４ａ，６５ａ，６６ａ…案内部、６１ｂ，６２ｂ…固定部、６１ｃ…挟持部、６１ｄ…接続部、６１ｅ，６１ｉ，６１ｇ，６７ａ…上端、６１ｆ，６１ｊ，６１ｈ，６２ｄ，６５ｅ，６６ｅ…下端、６２ｃ，６３ｂ，６４ｂ，６５ｂ，６６ｂ…下端部、６５ｃ，６６ｃ…下側案内部、６５ｄ，６６ｄ…周方向案内部、６５ｆ，６６ｆ…端部、６８…楔部、６９、収容部、７１，７２，７３…突起部、７１ａ…上端、７１ｂ…下端、８０，８３…固定機構、８１…リングフック（環状の部材の一例）、８１ａ…係合部、８１ｂ…端部、８１ｃ…開放部、８２…溝、８２ａ…端面、８４…収容孔、８４ａ，８４ｂ…孔、８５…ピン（挿入部材の一例）、Ｗ１ａ，Ｗ１ｂ，Ｗ１ｃ，Ｗ１ｄ，Ｗ１ｅ，Ｗ１ｆ，Ｗ１ｇ，Ｗ２ａ，Ｗ２ｂ，Ｗ２ｃ，Ｗ２ｄ，Ｗ２ｅ，Ｗ３ａ，Ｗ４ａ…幅
【図１】
2020162288.tif 000003
【図２】
2020162288.tif 000004
【図３】
2020162288.tif 000005
【図４】
2020162288.tif 000006
【図５】
2020162288.tif 000007
【図６】
2020162288.tif 000008
【図７】
2020162288.tif 000009
【図８】
2020162288.tif 000010
【図９】
2020162288.tif 000011
【図１０】
2020162288.tif 000012
【図１１】
2020162288.tif 000013
【図１２】
2020162288.tif 000014
【図１３】
2020162288.tif 000015
【図１４】
2020162288.tif 000016
【図１５】
2020162288.tif 000017
【図１６】
2020162288.tif 000018
【図１７】
2020162288.tif 000019
【図１８】
2020162288.tif 000020
【図１９】
2020162288.tif 000021
【図２０】
2020162288.tif 000022
【図２１】
2020162288.tif 000023
【図２２】
2020162288.tif 000024
【図２３】
2020162288.tif 000025
【図２４】
2020162288.tif 000026
【図２５】
2020162288.tif 000027
【図２６】
2020162288.tif 000028
【図２７】
2020162288.tif 000029
【図２８】
2020162288.tif 000030
【図２９】
2020162288.tif 000031
【図３０】
2020162288.tif 000032
【図３１】
2020162288.tif 000033